(57)【要約】【課題】個装体を開封する際にその封止部を手指で容易に摘まむことができ、開封を円滑に素早く行うことができる吸収性物品の個装体を提供すること。【解決手段】個装体２０は、中央領域１１上に第１折り領域１２、第２折り領域１３の順で重ねられ、領域１２は、その上面が領域１３によって被覆されずに露出している第１折り領域露出部１２２を有する。吸収性コア４は、標準吸収部４０と、これよりも厚みが大きい突出部４１とを有し、突出部４１は、領域１１から露出部１２２に延出し、その延出部４４は、領域１１から離れるに従って横方向長さが漸次減少している。露出部１２２の上面視において、止着テープ３０と延出部４４とが重なっている。あるいは、第１折り領域被覆部１２１の上面又はこれを被覆する領域１３の下面に止着用接着剤３５が配されている場合に、延出部４４が、露出部１２２と領域１３との境界をなす、包装材縦方向端９１に達していても良い。【選択図】図１
2018102472.tif 000002
【特許請求の範囲】
【請求項１】
着用者の前後方向に対応し、着用者の腹側から股間部を介して背側に延びる縦方向とこれに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、
前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部を有し、前記個装体の上面が、該第１折り領域露出部の上面とこれに隣接する該第２折り領域の上面とを含んで構成されており、
前記個装体の上面に、前記第１折り領域露出部と前記第２折り領域との境界を跨ぐように止着テープが配され、該止着テープは、該第２折り領域側の端部が固定端部とされ、該第１折り領域露出部側に自由端部を有し、該第１折り領域露出部との対向面に設けられた接着部を介して、該第１折り領域露出部に対して剥離自在に止着し得るようになされており、
前記吸収性コアは、標準吸収部と、該標準吸収部に比して厚みが大きい突出部とを有し、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界には達しておらず、該突出部の延出部と該境界との間に該標準吸収部が存しており、
前記第１折り領域露出部の上面視において、前記止着テープと前記突出部の延出部とが重なっている、吸収性物品の個装体。
【請求項２】
前記止着テープにおける前記第１折り領域露出部との対向面は、前記自由端部側が、該第１折り領域露出部に対して接着性を有しない非接着部、残りの部位が前記接着部であり、
前記第１折り領域露出部の上面視において、前記止着テープの前記接着部と、前記突出部の縦方向一端部における横方向長さが最も短い部位とが重なっている請求項１に記載の吸収性物品の個装体。
【請求項３】
前記止着テープが前記個装体の横方向中央に配されている請求項１又は２に記載の吸収性物品の個装体。
【請求項４】
着用者の前後方向に対応し、着用者の腹側から股間部を介して背側に延びる縦方向とこれに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、
前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部と、その上面が該第２折り領域によって被覆されている第１折り領域被覆部とを有し、前記個装体の上面が、該第１折り領域露出部の上面とこれに隣接する該第２折り領域の上面とを含んで構成されており、
前記第１折り領域被覆部の上面又はこれを被覆する前記第２折り領域の下面に止着用接着剤が配され、該第２折り領域が該止着用接着剤を介して該第１折り領域被覆部に対して剥離自在に止着し得るようになされており、
前記吸収性コアは、標準吸収部と、該標準吸収部に比して厚みが大きい突出部とを有し
、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界に達しており、
前記個装体の上面視において、前記止着用接着剤は前記突出部の延出部と重なっておらず、該突出部の延出部と該止着用接着剤との間に前記標準吸収部が存している、吸収性物品の個装体。
【請求項５】
前記第１折り領域露出部において、前記第１折曲線側の横方向中央部の剛性が最も高く、該第１折曲線側の横方向両端部の剛性が最も低く、両部位以外の他の部位が両部位の中間の剛性を有する請求項１〜４の何れか１項に記載の吸収性物品の個装体。
【請求項６】
前記吸収性物品は、前記吸収性コアの非肌対向面側に配される非肌側シートを具備し、前記突出部は、前記標準吸収部の非肌対向面位置から該非肌側シート側に突出している請求項１〜５の何れか１項に記載の吸収性物品の個装体。
【請求項７】
前記突出部における前記折曲線と重なる部位に溝が形成されている請求項１〜６の何れか１項に記載の吸収性物品の個装体。
【発明の詳細な説明】
【技術分野】
【０００１】
本発明は、吸収性物品とこれを包装する包装材とが一体的に折り畳まれた構造を有する、吸収性物品の個装体に関する。
【背景技術】
【０００２】
従来、生理用ナプキン等の吸収性物品は、包装材と共に折り畳まれて個装体とされ、市販等されている。この吸収性物品の個装体の典型的な形態として、一方向に長い形状の吸収性物品とこれを個装する長方形形状の包装材とからなり、該包装材が該吸収性物品と共にそれらの長手方向に３つ折りされた構成を有するものがある（特許文献１〜３参照）。また、斯かる構成の個装体において、個装体封止用の止着方法として、該個装体の上面を形成する包装材の長手方向一端部にタブテープなどとも呼ばれる個装体封止用の止着テープを設ける方法や、包装材間に個装体封止用接着剤を配する方法が知られている（特許文献１及び２参照）。
【０００３】
個装体封止用の止着方法において、前記止着テープによる方法は、吸収性物品を長手方向に３つ折りして個装体を形成する際に包装材に接着固定される。また、前記個装体封止用接着剤による方法は、吸収性物品を長手方向に３つ折りして個装体を形成する際に１回目に折り畳まれた層における包装材の上面と、２回目即ち最後に折り畳まれた層における包装材の下面との間に配され、これら包装材の両面どうしを剥離自在に接着する接着部を形成する。斯かる個装体封止用接着剤による接着部を有する形態においては、個装体を形成する際に最後に折り畳まれた包装材の長手方向端部自体が個装体の封止部となる。これらの個装体封止方法により、個装体の開封口が蓋をされた状態となり、内部の吸収性物品の衛生状態が維持されやすくなる。
【０００４】
また、生理用ナプキン等の吸収性物品には、吸収容量の確保、フィット性の向上等の観点から、吸収性物品中の吸収体における、着用者の膣口等の排泄部に対向配置される部位に、周辺部に比して厚みが大きい中高部を有するものがある（特許文献４参照）。
【先行技術文献】
【特許文献】
【０００５】
【特許文献１】特開２０１５−８４９４８号公報
【特許文献２】特開平１０−１２７６８６号公報
【特許文献３】特開平７−９６００１号公報
【特許文献４】特開２０１４−１０４０９３号公報
【発明の概要】
【発明が解決しようとする課題】
【０００６】
突出部を有する吸収体を具備する吸収性物品を包装材と共に長手方向に３つ折りしてなる個装体においては、肉厚の突出部が折り重ねられた部分が膨れ上がって嵩高になっているところ、そのような嵩高部と重なる位置に、個装体の封止部（個装体封止用の止着テープ、あるいは個装体の開封口側の外面を形成する包装材端部）が配されていると、該封止部を手指で摘まむ際に摘み部として利用される該封止部の端部が個装体と密着するため、該封止部の端部を手指で摘まみにくく、個装体の開封容易性が低下するおそれがある。
【０００７】
従って本発明の課題は、個装体を開封する際にその封止部を手指で容易に摘まむことができ、開封を円滑に素早く行うことができる吸収性物品の個装体を提供することに関する。
【課題を解決するための手段】
【０００８】
本発明は、着用者の前後方向に対応し、着用者の腹側から股間部を介して背側に延びる縦方向とこれに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部を有し、前記個装体の上面が、該第１折り領域露出部の上面とこれに隣接する該第２折り領域の上面とを含んで構成されており、前記個装体の上面に、前記第１折り領域露出部と前記第２折り領域との境界を跨ぐように止着テープが配され、該止着テープは、該第２折り領域側の端部が固定端部とされ、該第１折り領域露出部側に自由端部を有し、該第１折り領域露出部との対向面に設けられた接着部を介して、該第１折り領域露出部に対して剥離自在に止着し得るようになされており、前記吸収性コアは、標準吸収部と、該標準吸収部に比して厚みが大きい突出部とを有し、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界には達しておらず、該突出部の延出部と該境界との間に該標準吸収部が存しており、前記第１折り領域露出部の上面視において、前記止着テープと前記突出部の延出部とが重なっている、吸収性物品の個装体である。
【０００９】
また本発明は、着用者の前後方向に対応し、着用者の腹側から股間部を介して背側に延びる縦方向とこれに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部と、その上面が該第２折り領域によって被覆されている第１折り領域被覆部とを有し、前記個装体の上面が、該第１折り領域露出部の上面とこれに隣接する該第２折り領域の上面とを含んで構成されており、前記第１折り領域被覆部の上面又はこれを被覆する前記第２折り領域の下面に止着用接着剤が配され、該第２折り領域が該止着用接着剤を介して該第１折り領域被覆部に対して剥離自在に止着し得るようになされており、前記吸収性コアは、標準吸収部と、該標準吸収部に比して厚みが大きい突出部とを有し、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界に達しており、前記個装体の上面視において、前記止着用接着剤は前記突出部の延出部と重なっておらず、該突出部の延出部と該止着用接着剤との間に前記標準吸収部が存している、吸収性物品の個装体である。
【発明の効果】
【００１０】
本発明によれば、個装体を開封する際にその封止部（止着テープ、又は吸収性物品と共に折り畳まれた包装材の端部）を手指で容易に摘まむことができ、開封を円滑に素早く行うことができる吸収性物品の個装体が提供される。
【図面の簡単な説明】
【００１１】
【図１】図１（ａ）は、本発明の吸収性物品の個装体の第１実施形態である生理用ナプキンの個装体を模式的に示す斜視図、図１（ｂ）は、図１（ａ）に示す個装体の要部である止着テープ（封止部）及びその近傍を拡大して模式的に示す拡大上面図である。
【図２】図２は、図１（ａ）に示す個装体のＩ−Ｉ線断面を模式的に示す縦断面図である。
【図３】図３は、図１（ａ）に示す個装体の展開状態を示す平面図であり、該個装体を構成する生理用ナプキンと包装材との積層体の内面側の模式的な平面図である。
【図４】図４は、図３に示す生理用ナプキンの展開状態における内面側即ち肌対向面側（肌側シート側）を模式的に示す平面図である。
【図５】図５は、図４のＩＩ−ＩＩ線断面（第１折曲線での断面）を模式的に示す横断面図である。
【図６】図６は、図１（ａ）に示す個装体を開封するに際し、止着テープ（封止部）を図示しない手指で摘まんだときの該個装体の変形状態を模式的に示す側面図である。
【図７】図７は、本発明の吸収性物品の個装体の第１実施形態の変形例の模式的な縦断面図（図２相当図）である。
【図８】図８（ａ）は、本発明の吸収性物品の個装体の第２実施形態である生理用ナプキンの個装体を模式的に示す斜視図、図８（ｂ）は、図８（ａ）に示す個装体の要部である包装材端部（封止部）及びその近傍を拡大して模式的に示す拡大上面図である。
【図９】図９は、図８（ａ）に示す個装体を開封するに際し、包装材端部（封止部）を図示しない手指で摘まんだときの該個装体の変形状態を模式的に示す側面図である。
【発明を実施するための形態】
【００１２】
以下、本発明の吸収性物品の個装体をその好ましい実施形態に基づき図面を参照して説明する。図１及び図２には、本発明の吸収性物品の個装体の第１実施形態である生理用ナプキン１の個装体２０が示され、図３には、個装体２０を展開した状態が示され、図４及び図５には、該生理用ナプキンが示されている。個装体２０は、着用者の前後方向に対応し、着用者の腹側から股間部を介して背側に延びる縦方向Ｘと、これに直交する横方向Ｙとを有し、液保持性の吸収性コア４を具備するナプキン１と、ナプキン１の非肌対向面に粘着剤８を介して剥離可能に粘着された包装材９との積層体１０が、該ナプキン１の肌対向面を内側にして、該積層体１０を横方向Ｙに横断する２本の折曲線２１，２２にて、ナプキン１の縦方向Ｘに折り畳まれた構成を有する。積層体１０並びにこれを構成するナプキン１及び包装材９は、それぞれ、図４に示すように縦方向Ｘに長い形状をなし、その長手方向が縦方向Ｘに一致し、該長手方向と直交する幅方向が横方向Ｙに一致する。
【００１３】
包装材９は、図３に示すように平面視長方形形状をなし、その長手方向をナプキン１の長手方向即ち縦方向Ｘに一致させて、ナプキン１の非肌対向面に粘着剤８を介して粘着されている。粘着剤８は、ナプキン１の着用時に該ナプキン１を着衣に固定するズレ止め部としても機能する。粘着剤８の配置パターンは、ズレ止め機能などを考慮して適宜設定し得る。
【００１４】
本明細書において、「肌対向面」は、吸収性物品又はその構成部材（例えば吸収性コア４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１５】
ナプキン１と包装材９との積層体１０は、図３に示すように、２本の折曲線２１，２２に挟まれた中央領域１１、並びに中央領域１１を挟んで縦方向Ｘの両側に位置する第１折
り領域１２及び第２折り領域１３を有する。個装体２０においては、図２に示すように、中央領域１１上に第１折り領域１２、第２折り領域１３の順で重ねられ、中央領域１１が下層、第２折り領域１３が上層、第１折り領域１２が両層間に介在配置された中層となっている。
【００１６】
第１折り領域１２は、図１及び図２に示すように、その上面１２０が第２折り領域１３によって被覆されている第１折り領域被覆部１２１と、該上面１２０が第２折り領域１３によって被覆されずに露出している第１折り領域露出部１２２とを有する。図１に示す如き未開封状態の個装体２０の上面２００は、第１折り領域露出部１２２の上面とこれに隣接する第２折り領域１３の上面１３０とを含んで構成されている。
【００１７】
個装体２０の上面２００には、図１及び図２に示すように、第１折り領域露出部１２２と第２折り領域１３との境界、即ち包装材９の第２折り領域１３側の縦方向Ｘ端９１を縦方向Ｘに跨ぐように止着テープ３０が配されている。即ち、包装材９は図３に示すように平面視長方形形状をなし、その縦方向Ｘの両端（短辺）９０，９１のうちの第２折り領域１３側の縦方向Ｘ端９１が、第１折り領域露出部１２２と第２折り領域１３との境界をなし、図１に示すように、個装体２０の横方向Ｙの全長にわたって連続直線状に延びている。
【００１８】
止着テープ３０は、図１〜図３に示すように、平面視長方形形状をなし、その長手方向を縦方向Ｘに一致させて、個装体２０の上面２００に配されている。止着テープ３０は、その縦方向両端部３１，３２のうち、第２折り領域１３側の縦方向端部３１が固定端部とされ、第１折り領域露出部１２２側の縦方向端部３２が自由端部とされ、第１折り領域露出部１２２との対向面に設けられた接着部（図示せず）を介して、第１折り領域露出部１２２に対して剥離自在に止着し得るようになされている。止着テープ３０は、未使用状態の個装体２０の封止部として機能すると共に、個装体２０を開封する際に手指で摘まむ開封用摘み部としても機能する。
【００１９】
ナプキン１について説明すると、ナプキン１は、図４に示すように、前方部Ａ、股下部Ｂ及び後方部Ｃを縦方向Ｘに有している。股下部Ｂは、ナプキン１の着用時に着用者の排泄部（膣口等）に対向配置される排泄部対向部を有し、該排泄部対向部は通常、股下部Ｂの横方向Ｙの中央部に位置する。前方部Ａは、股下部Ｂよりも着用者の腹側即ち前側に配される部分であり、後方部Ｃは、股下部Ｂよりも着用者の背側即ち後側に配される部分である。
【００２０】
ナプキン１は、図４に示すように、縦方向Ｘに長い形状の吸収性本体５と、吸収性本体５における股下部Ｂの縦方向Ｘに沿う両側部それぞれから横方向Ｙの外方に延出する一対のウイング部５Ｗ，５Ｗとを有している。ウイング部５Ｗの非肌対向面には、該ウイング部５Ｗをショーツ等の着衣に固定するウイング部粘着部５０（図３参照）が形成されている。ウイング部５Ｗは、ショーツ等の着衣のクロッチ部の非肌対向面（外面）側に折り返されて用いられる。ウイング部粘着部５０は、その使用前においてはフィルム、不織布、紙等からなる剥離シート（図示せず）によって被覆されている。
【００２１】
ナプキン１の股下部Ｂは、ナプキン１と包装材９との積層体１０の中央領域１１に一致し、即ち第１折曲線２１と第２折曲線２２とに挟まれた部位である。第１折曲線２１は、一対のウイング部５Ｗ，５Ｗそれぞれの縦方向Ｘにおける後方部Ｃ側の付け根周辺を通って横方向Ｙに延び、また、第２折曲線２２は、一対のウイング部５Ｗ，５Ｗそれぞれの縦方向Ｘにおける前方部Ａ側の付け根周辺を通って横方向Ｙに延びている。また、ナプキン１の前方部Ａは積層体１０の第２折り領域１３と重複し、ナプキン１の後方部Ｃは積層体１０の第１折り領域１２と重複する。
【００２２】
吸収性本体５は、図４及び図５に示すように、肌対向面側に配された液透過性の肌側シート２と、非肌対向面側に配された液不透過性の非肌側シート３と、両シート２，３間に介在配置された液保持性の吸収性コア４とを具備する。吸収性本体５は、縦方向Ｘに長い縦長の形状を有し、その長手方向が縦方向Ｘに一致し、該縦方向Ｘと直交する横方向Ｙが幅方向に一致している。肌側シート２及び非肌側シート３と吸収性コア４（吸収性コア４が図示しないコアラップシートで被覆されている場合は該コアラップシート）との間は、ドット、スパイラル、ストライプ等のパターン塗工された接着剤により接合されていても良い。
【００２３】
ナプキン１においては、図４及び図５に示すように、吸収性本体５の肌側シート２の肌対向面における縦方向Ｘに沿う両側部に、吸収性コア４の縦方向Ｘに沿う左右両側部に重なるように、一対のサイドシート６，６が吸収性本体５の縦方向Ｘの略全長にわたって配されている。サイドシート６の縦方向Ｘに延びる両側縁のうち、相対的に吸収性本体５に近い内側縁部は吸収性コア４と重なり、該内側縁部とは反対側の外側縁部は、吸収性コア４の横方向Ｙの外方に位置している。肌側シート２、非肌側シート３及びサイドシート６は、それぞれ、吸収性コア４の周縁から延出し、それらの延出部の少なくとも２枚のシートにおける端部にて、接着剤、ヒートシール等の公知の接合手段により互いに接合されてエンドシール部１Ｅが形成されている。ナプキン１の肌対向面には、肌側シート２及び吸収性コア４が一体的に凹陥してなる防漏溝７が形成されている。防漏溝７は平面視環状をなし、前方部Ａから股下部Ｂを介して後方部Ｃにわたって延在している。防漏溝７はエンボス加工によって形成されている。
【００２４】
肌側シート２としては、この種の吸収性物品に従来使用されている各種のものを特に制限なく用いることができ、経血などの体液を透過し得る液透過性シートであることを前提として、合成繊維又は天然繊維からなる織布や不織布、多孔性シート等を用いることができる。非肌側シート３としては、この種の吸収性物品に従来使用されている各種の防漏性シートを特に制限なく用いることができ、液不透過性（撥水性を含む）で、且つ透湿性のものが好ましく用いられる。例えば、炭酸カルシウム等のフィラーからなる微粉を分散させたポリエチレン等の合成樹脂製のフィルムを延伸し、微細な孔を設けた多孔質フィルムは、非肌側シート３として好適に使用できる。サイドシート６としては、非肌側シート３として使用可能なものを用いることができる。
【００２５】
吸収性コア４は、図４に示すように、縦方向Ｘに長い縦長の形状を有し、その長手方向が縦方向Ｘに一致し、幅方向が横方向Ｙに一致している。吸収性コア４は、前方部Ａから股下部Ｂを介して後方部Ｃにわたって延在している。第１実施形態においては、吸収性コア４は、パルプ繊維等の繊維材料からなる繊維集合体又は該繊維集合体の繊維間に高吸水性ポリマーを保持させたものからなり、吸収性コア４の肌対向面及び非肌対向面の両面が、紙、不織布などからなる液透過性のコアラップシート（図示せず）で被覆されている。
【００２６】
吸収性コア４は、図４及び図５に示すように、標準吸収部４０と、標準吸収部４０に比して厚みが大きい突出部４１とを有する。第１実施形態においては、標準吸収部４０は、吸収性コア４において相対的に厚み及び坪量の双方が小さい領域、突出部４１は、吸収性コア４において相対的に厚み及び坪量の双方が大きい領域であり、吸収性コア４の縦方向Ｘの前方側及び後方側がそれぞれ標準吸収部４０、その前後一対の標準吸収部４０，４０に挟まれた縦方向Ｘの中央部が突出部４１である。第１実施形態における突出部４１は、図４に示すように、ナプキン１の前方部Ａから股下部Ｂを介して後方部Ｃにわたって延在し、平面視六角形形状をなしている。
【００２７】
第１実施形態においては、突出部４１は、図４及び図５に示すように、吸収性コア４の
横方向Ｙの全長即ち全幅にわたって延在する最大幅部４２と、該最大幅部４２から縦方向Ｘの前方に形成される前方側凸部４３と、該最大幅部４２から縦方向Ｘの後方に形成される後方側凸部４４とを有する。図中斜線を付した部位が両凸部４３，４４である。吸収性コア４は、該吸収性コア４を縦方向Ｘに二分して横方向Ｙに延びる仮想的な縦中心線ＣＬｘを基準として前後対称に形成されている。
【００２８】
最大幅部４２は、図４に示すようにその全体が股下部Ｂに配され、平面視において四角形形状（長方形形状）をなしている。最大幅部４２の縦方向Ｘに延びる一対の側縁４２０，４２０は、吸収性コア４における最大幅部４２が存する部位（股下部Ｂ）の両側縁を形成している。このように、フィット性、漏れ防止性などの諸特性の発現に重要な役割を担う突出部４１（最大幅部４２）が、股下部Ｂにおいて吸収性コア４の全幅にわたって存在することで、例えば、着用者の動きによってナプキン１の着用位置が適正な位置から横方向Ｙに多少ずれた場合でも、突出部４１（最大幅部４２）は依然として着用者の股間部に当接し得るようになる。従ってナプキン１は、着用者の動きに対する追従性、フィット性、漏れ防止性に優れる。
【００２９】
一方、前方側凸部４３は、図４に示すように、前方部Ａと股下部Ｂとの境界をなす第２折曲線２２を縦方向Ｘに跨ぐように配され、また、後方側凸部４４は、後方部Ｃと股下部Ｂとの境界をなす第１折曲線２１を縦方向Ｘに跨ぐように配されている。前方側凸部４３は、図４に示す如き平面視において二等辺三角形形状をなしており、最大幅部４２の両側縁４２０，４２０に連接され、該二等辺三角形における長さの等しい二辺を構成する平面視Ｖ字状の縦方向端４３０を有している。同様に、後方側凸部４４も二等辺三角形形状をなし、最大幅部４２の両側縁４２０，４２０に連接され、該二等辺三角形における長さの等しい二辺を構成する平面視Ｖ字状の縦方向端４４０を有している。前方側凸部４３の縦方向端４３０及び後方側凸部４４の縦方向端４４０は、それぞれそのＶ字の頂部４３１，４４１が縦方向Ｘの外方に向かって突出するように配されている。
【００３０】
最大幅部４２と両凸部４３，４４とは一体成形されている。本明細書において「一体成形されている」とは、複数の部位、例えば前方側凸部４３と最大幅部４２とが、接着剤や熱融着等の接合手段を介さずに一体化されており、同一の材料から一体的に形成されていることを意味する。吸収性コア４の複数の部位が一体成形されていると、経血等の排泄液がスムーズに移動し得る連続性を有するようになる。
【００３１】
第１実施形態においては、吸収性コア４の突出部４１は、図５に示すように、標準吸収部４０の非肌対向面４０ｂから非肌側シート３側に突出している。このように、吸収性コア４の一部である突出部４１がその周辺部である標準吸収部４０よりも非肌側シート３側に突出していることで、図２及び図５に示すように、吸収性コア４の標準吸収部４０の非肌対向面４０ｂと非肌側シート３との間に空間部４７が形成される。
【００３２】
第１実施形態においては、図４に示すように標準吸収部４０に、前方側凸部４３の縦方向端４３０及び後方側凸部４４の縦方向端４４０に沿って溝４５が形成されている。さらに、溝４５よりも縦方向Ｘの外方において、複数の直線状の溝４６が縦方向Ｘに延びていると共に、複数の直線状の溝４６が横方向Ｙにも延びており、互いに直交して平面視格子状をなす複数本の直線状の溝４６によって標準吸収部４０が複数の小領域に区画化されていても良く、第１実施形態においては溝４６が形成されている。溝４５と溝４６とは繋がっている。標準吸収部４０において、この小領域は相対的に坪量の大きい高坪量部、溝４５，４６の形成部位は相対的に坪量の小さい低坪量部である。また第１実施形態においては、溝４５は図５に示すように、標準吸収部４０の非肌対向面４０ｂに開口を有し、標準吸収部４０の肌対向面４０ａ側が溝４５の底部を形成している。図示していないが、溝４６も同様に標準吸収部４０の非肌対向面４０ｂに開口を有している。尚、溝４５，４６は
、これとは逆に、標準吸収部４０の肌対向面４０ａに開口を有していても良い。
【００３３】
標準吸収部４０の溝４５，４６は、積繊装置を用いた公知の吸収性コアの製造方法において、吸収性材料を含むコア形成材料の積繊量を周辺部に比して意図的に低減させることで形成された凹部であり、いわゆるエンボス溝、即ち、坪量が均一で表面に凹凸のない扁平板状の吸収性コアに対しエンボス加工（押圧処理）を施すことによって形成された凹部ではない。従って、通常のエンボス溝は、エンボス加工によりコア形成材料が圧密化されているため周辺部に比して高密度であるが、溝４５，４６はその形成過程で圧密化されていないため、その周辺部（非溝形成部）との比較において密度に実質的な差は無い。また、通常のエンボス溝は、その周辺部との比較において坪量に実質的な差はないが、溝４５，４６はその周辺部よりも低坪量である。
【００３４】
溝４５，４６の形成に利用し得る公知の吸収性コアの製造方法は、例えば、空気流に乗せて供給したコア形成材料を、積繊装置（回転ドラム等）の外面に形成された集積用凹部の底部に吸引堆積させる工程を有するところ、斯かる工程において、底部の開孔率が部分的に異なる集積用凹部を使用する、具体的には、溝４５，４６の形成予定部位に対応する底部の開孔率が相対的に低く調整されている集積用凹部を使用することにより、溝４５，４６が形成された肉薄且つ低坪量の部位と、溝（凹部）が形成されていない肉厚且つ高坪量の部位とを有する、吸収性コア４を形成することができる。
【００３５】
第１実施形態における吸収性コア４は、このように、コア形成材料の積繊量を部分的に異ならせることで形成されており、コア形成材料の積繊量が相対的に少ない部位が標準吸収部４０、コア形成材料の積繊量が相対的に多い部位が最大幅部４２、前方側凸部４３及び後方側凸部４４からなる突出部４１である。従って、突出部４１は標準吸収部４０に比して、厚みのみならず坪量も大きく形成される。
【００３６】
生理用ナプキン１における標準吸収部４０は、相対的に高坪量部たる溝４５，４６に囲まれた前記小領域と、該小領域を包囲する線状の相対的に低坪量部たる４５，４６の形成部位とからなる、個々に独立したブロック領域を多数有する、ブロック構造としても良く、第１実施形態においては図４に示すようにそのようになされている。標準吸収部４０をブロック構造とすることにより、吸収性コア４は、縦方向Ｘ及び横方向Ｙの双方に柔軟なものとなり、そのことに起因して吸収性コア４は着用者の身体の形状に沿いやすいものとなる。さらに、経血等の排泄物が、相対的に厚みの薄い溝４５，４６の形成部位に案内されてこれを流れ得るため、吸収性コア４は縦方向Ｘ及び横方向Ｙの液拡散性に優れる。
【００３７】
第１実施形態の個装体２０は、図３に示す如き展開状態の積層体１０において、先ず、第１折り領域１２を第１折曲線２１にて中央領域１１上に折り重ね、次いで、第２折り領域１３を第２折曲線２２にて該第１折り領域１２上に折り重ね、次いで、包装材９におけるナプキン１の縦方向Ｘに沿う側縁からの延出部どうしを、接着剤、ヒートシール等の公知の接合手段により接合して封止部２３（図１（ａ）参照）を形成すると共に、止着テープ３０を前記の所定位置に配置することによって製造される。
【００３８】
ここで、第１実施形態の個装体２０の主たる特徴と特に密接に関連する構成について改めて言及すると、吸収性コア４の突出部４１は、中央領域１１から１本の折曲線２１を跨いで第１折り領域露出部１２２に延出し（図２〜図４参照）、その延出部である後方側凸部４４は、図４に示す如き平面視において二等辺三角形形状をなし、中央領域１１から離れるに従って（縦方向Ｘの外方に向かうに従って）横方向Ｙの長さ即ち幅が漸次減少している。また、後方側凸部４４は図１に示すように、第１折り領域露出部１２２と第２折り領域１３との境界９１には達しておらず、該後方側凸部４４と境界９１との間に標準吸収部４０が存している。
【００３９】
そして、第１実施形態の個装体２０の主たる特徴の１つとして、図１に示すように、第１折り領域露出部１２２の上面視において、止着テープ３０と、突出部４１の第１折り領域露出部１２２への延出部である後方側凸部４４とが重なっている点が挙げられる。即ち止着テープ３０が、第１折り領域露出部１２２における後方側凸部４４と標準吸収部４０との境界である、後方側凸部４４の縦方向端４４０と重なっている。
【００４０】
図１（ａ）及び図２に示す如き未開封の個装体２０を開封する際には通常、止着テープ３０の自由端部３２を手指で摘まんでこれを第１折り領域露出部１２２の上面から引き剥がし、さらにそのまま止着テープ３０を引っ張って、封止部２３で接合されている包装材９どうしを引き剥がす操作を行う。
【００４１】
しかしながら、第１実施形態の個装体２０においては、後方側凸部４４と標準吸収部４０との境界をなす、後方側凸部４４の縦方向端４４０の形成位置には、両者の厚み差に起因する段差が生じている（図２及び図５参照）。そして、第１実施形態の個装体２０においては前記の通り止着テープ３０が後方側凸部４４の縦方向端４４０と重なっている、即ち前記段差と重なっているため、未開封状態の個装体２０における止着テープ３０の自由端部３２を常法に従って手指で摘まもうとしたときに、その手指（例えば人差し指）の先で止着テープ３０を上方から押したときの圧力によって、止着テープ３０の下方部を中心に個装体２０が厚み方向に圧縮され、その際、前記段差を挟んで対向している部材どうし、例えば非肌側シート３と標準吸収部４０とが密着する。その結果、個装体２０においては、図６に示すように、止着テープ３０の固定端部３１及びその近傍の下方部の厚みが自由端部３２及びその近傍の下方部の厚みよりも減少し、自由端部３２が第１折り領域露出部１２２の上面から浮きやすくなるため、自由端部３２を容易に手指で摘まむことができ、肉厚の突出部４１が折り重ねられた部分が膨れ上がって嵩高になっている場合でも、その後の開封操作を円滑に素早く行うことができる。また、止着テープ３０の自由端部３２の摘まみやすさに大きく左右されず、斯かる操作を容易に行うことができる。
【００４２】
また第１実施形態においては、吸収性コア４の突出部４１は、中央領域１１から１本の折曲線２２を通って第２折り領域１３に延出し（図２〜図４参照）、その延出部である前方側凸部４３が、図１に示すように標準吸収部４０の前方側縦方向端４０Ｅに達しておらず、前方側凸部４３と止着テープ３０（固定端部３１）との間に、前方側凸部４３と標準吸収部４０との厚み差に起因する段差が生じている。そのため第１実施形態においては、前述した後方側凸部４４側の段差の存在に加えて、この前方側凸部４３側の段差の存在によって、止着テープ３０を上方から押圧したときの個装体２０の圧縮度が比較的大きくなされており、そのため、止着テープ３０の自由端部３２が第１折り領域露出部１２２の上面から一層浮きやすくなっている。
【００４３】
また第１実施形態においては、図２及び図５に示すように、最大幅部４２、前方側凸部４３及び後方側凸部４４からなる突出部４１が、周辺部の標準吸収部４０の非肌対向面４０ｂの位置から非肌側シート３側に突出していることによって、該標準吸収部４０と非肌側シート３との間に空間部４７が形成されているため、止着テープ３０を上方から押圧したときの個装体２０の圧縮度がより一層大きくなされており、自由端部３２の摘まみやすさが一層向上されている。斯かる空間部４７の形成による作用効果をより一層確実に奏させるようにする観点、さらにはナプキン１のフィット性及び漏れ防止性等の観点から、空間部４７の高さ即ち突出部４１Ｐの突出高さＨ（図５参照）は、好ましくは０．５ｍｍ以上、さらに好ましくは１．０ｍｍ以上、そして、好ましくは１５ｍｍ以下、さらに好ましくは１０ｍｍ以下である。
【００４４】
また第１実施形態においては、図１（ｂ）に示すように、止着テープ３０における第１
折り領域露出部１２２との対向面は、自由端部３２側が、第１折り領域露出部１２２に対して接着性を有しない非接着部３３、残りの部位が接着部３４であるところ、図１（ｂ）に示す如き第１折り領域露出部１２２の上面視において、この止着テープ３０の接着部３４と、突出部４１の第１折り領域露出部１２２への延出部である、後方側凸部４４における横方向Ｙの長さ即ち幅が最も短い部位（最小幅部）とが重なっている。図１（ｂ）に示す形態においては、前記最小幅部は、後方側凸部４４の縦方向端４４０の先端部即ち頂部４４１及びその近傍である。一般に、接着部３４が存する部位は、止着テープ３０の自由端部３２を手指で摘まもうとするときに人差し指などの手指によって押圧されやすい部位であり、そのような厚み方向に圧縮されやすい部位である接着部３４と、後方側凸部４４の前記最小幅部、即ち後方側凸部４４と標準吸収部４０との厚み差に起因する段差が生じている部位とが重なることで、止着テープ３０の自由端部３２の摘まみやすさがより一層向上し得る。
【００４５】
また第１実施形態においては、図１（ａ）に示すように、止着テープ３０は個装体２０の横方向Ｙの中央に配されていることにより、止着テープ３０の自由端部３２を手指で摘まんで引っ張るときの引張方向の自由度が高く、縦方向Ｘに平行に引っ張るのみならず、縦方向Ｘに交差する方向に引っ張ることもでき、個装体２０の開封操作性が向上されている。
【００４６】
またこれに付随して、第１実施形態においては図１に示すように、後方側凸部４４と標準吸収部４０との境界即ち後方側凸部４４の縦方向端４４０における、上面視において止着テープ３０と重なる部位が、止着テープ３０の固定端部３１側に向かって突出する頂部４４１を有するＶ字状をなしているため、止着テープ３０の自由端部３２を手指で摘まんで引っ張るときの引張方向としては、縦方向Ｘと平行の他、頂部４４１を挟んで左右に存する一対の縦方向端４４０，４４０それぞれに対して直交する方向という選択も可能である。これに対し、例えば、典型的な平面視四角形形状の中高部（突出部）を具備する従来の吸収性物品の個装体においては、止着テープと重なる該中高部の縦方向端が横方向に延びる直線状であるため、止着テープの自由端部を手指で摘まんで引っ張るときの引張方向としては、縦方向の一択しかない。このように、第１実施形態の個装体２０は、止着テープ３０が個装体２０の横方向Ｙの中央に配されていることと相俟って、様々な開封方法に対応し得る。
【００４７】
前述した作用効果をより確実に奏させるようにする観点から、第１折り領域露出部１２２においては、第１折曲線２１側の横方向Ｙの中央部（より具体的には、後方側凸部４４の配置部位）の剛性が最も高く、第１折曲線２１側の横方向Ｙの両端部（より具体的には、第１折曲線２１側における後方側凸部４４の非配置部位）の剛性が最も低く、両部位以外の他の部位が両部位の中間の剛性を有することが好ましい。ここでいう、「第１折り領域露出部１２２における第１折曲線２１側の部位」とは、未開封状態の個装体２０における、第１折曲線２１から、第１折り領域露出部１２２と第２折り領域との境界９１側に、５ｍｍ以内の領域を意味する。第１折り領域露出部１２２の各部の剛性に関してこのような大小関係が成立することで、個装体２０全体が、その剛性の異なる部位間の境界で曲がりやすくなるため、例えば、個装体２０の開封に際して止着テープ３０の自由端部３２を手指で摘まもうとするときに、個装体２０全体が曲がるような開封操作を行うことで、自由端部３２の摘まみやすさがより一層向上し得る。一般に、個装体２０の各部の剛性は坪量に比例するので、第１折り領域露出部１２２に前記の如き剛性差を付与するためには、相対的に剛性の高い部位は高坪量、相対的に剛性の低い部位は低坪量、それらの中間の剛性の部位はそれらの中間の坪量にすれば良い。第１実施形態においては、突出部４１が、吸収性コア４の横方向Ｙの全長にわたって延在する最大幅部４２を有しており、第１折曲線２１により後方側凸部４４が折り曲げられているため、第１折曲線２１側の横方向Ｙの中央部近傍は突出部４１が重なった配置になっており、第１折曲線２１側の横方向Ｙの両
端部は、標準吸収部４０が重なっているため、第１折り領域露出部１２２に前記の如き剛性差が付与されている。
【００４８】
前述した作用効果をより一層確実に奏させるようにする観点から、最大幅部４２、前方側凸部４３及び後方側凸部４４からなる突出部４１の各部の寸法等は次のように設定することが好ましい。
突出部４１の坪量は、好ましくは１００ｇ／ｍ2以上、さらに好ましくは２００ｇ／ｍ2以上、そして、好ましくは１５００ｇ／ｍ2以下、さらに好ましくは１２００ｇ／ｍ2以下である。
最大幅部４２の縦方向Ｘの長さ（側縁４２０の長さ）は、吸収性コア４の縦方向Ｘの全長に対して、好ましくは２０％以上、さらに好ましくは２５％以上、そして、好ましくは９０％以下、さらに好ましくは７５％以下である。
最大幅部４２の縦方向Ｘの長さ（側縁４２０の長さ）は、好ましくは２０ｍｍ以上、さらに好ましくは２５ｍｍ以上、そして、好ましくは３６０ｍｍ以下、さらに好ましくは３００ｍｍ以下である。
前方側凸部４３及び後方側凸部４４の縦方向Ｘの長さＬ１（図４参照）は、それぞれ、吸収性コア４の縦方向Ｘの全長に対して、好ましくは５％以上、さらに好ましくは１０％以上、そして、好ましくは５０％以下、さらに好ましくは３０％以下である。
前記長さＬ１は、好ましくは５ｍｍ以上、さらに好ましくは１０ｍｍ以上、そして、好ましくは２００ｍｍ以下、さらに好ましくは１２０ｍｍ以下である。
【００４９】
図７〜図９には、本発明の吸収性物品の個装体の他の実施形態が示されている。後述する他の実施形態については、第１実施形態の個装体２０と異なる構成部分を主として説明し、同様の構成部分は同一の符号を付して説明を省略する。特に説明しない構成部分は、第１実施形態の個装体２０についての説明が適宜適用される。
【００５０】
個装体２０においては、突出部４１は標準吸収部４０の表面位置（非肌対向面４０ｂ）から非肌側シート３側に突出していたが（図５参照）、図７に示す個装体２０Ａにおいては、突出部４１はこれとは逆に、標準吸収部４０の表面位置（肌対向面４０ａ）から肌側シート２側に突出している。即ち個装体２０Ａにおいては、突出部４１は、標準吸収部４０の肌対向面４０ａより肌側シート２側に突出する突出部４１Ｐを有している。そのため、個装体２０Ａにおいては、吸収性コア４の標準吸収部４０の肌対向面４０ａと肌側シート２との間に、標準吸収部４０の非肌対向面４０ｂと非肌側シート３との間の空間部４７（図５参照）と同様の空間部が形成される。このため、個装体２０Ａは、自由端部３２の摘まみやすさに優れている。
【００５１】
前述した本発明の第１実施形態である個装体２０，２０Ａは、未使用状態の個装体の封止部兼開封用摘み部として、個装体２０，２０Ａとは別体の止着テープ３０を具備していたが、図８に示す本発明の第２実施形態である個装体２０Ｂは、そのような止着テープは具備しておらず、その代わりに、個装体２０Ｂの構成部材である包装材９（生理用ナプキン１と共に折り畳まれた包装材９の長手方向一端部）が未使用状態の個装体の封止部兼開封用摘み部として機能する。
【００５２】
第２実施形態の個装体２０Ｂにおいては、図８に示すように、第１折り領域被覆部１２１の上面、又は個装体２０Ｂの未使用状態において第１折り領域被覆部１２１の上面を被覆する第２折り領域１３の下面に、止着用接着剤３５が配され、第２折り領域１３が止着用接着剤３５を介して第１折り領域被覆部１２１に対して剥離自在に止着し得るようになされている。第２実施形態における止着用接着剤３５は、平面視において１本の連続直線状をなし、第１折り領域被覆部１２１と第２折り領域１３との重なり部における、包装材９の第２折り領域１３側の縦方向Ｘ端９１から縦方向Ｘに所定距離離間した位置を、該重
なり部の横方向Ｙの略全長にわたって延びている。止着用接着剤３５の幅（縦方向Ｘの長さ）は、好ましくは０．５〜５ｍｍである。包装材９における、該包装材９の縦方向Ｘ端９１と止着用接着剤３５とに挟まれた縦方向端部域９２は、その直下に位置する第１折り領域被覆部１２１に対して非接着であり、個装体２０Ｂを開封する際に手指で摘まむ開封用摘み部として機能し得る。
【００５３】
また、第２実施形態の個装体２０Ｂにおいては、突出部４１の第１折り領域露出部１２２への延出部である後方側凸部４４は、図８に示すように、第１折曲線２１から離れるに従って幅が漸次減少し、且つ第１折り領域露出部１２２と第２折り領域１３との境界即ち包装材９の縦方向Ｘ端９１に達している。より具体的には後方側凸部４４は、包装材９の縦方向Ｘ端９１を縦方向Ｘに跨いでおり、その頂部４４１が包装材９の縦方向端部域９２と重なっている。そして、第２実施形態の個装体２０Ｂにおいては、その上面視において図８に示すように、止着用接着剤３５は、突出部４１の第１折り領域露出部１２２への延出部である後方側凸部４４と重なっておらず、後方側凸部４４と止着用接着剤３５との間に標準吸収部４０が存している。
【００５４】
以上のような構成の第２実施形態の個装体２０Ｂにおいても、第１実施形態の個装体２０，２０Ａと同様に、後方側凸部４４と標準吸収部４０との境界をなす、後方側凸部４４の縦方向端４４０の形成位置には、両者の厚み差に起因する段差が生じている。そして、個装体２０Ｂにおいては前記の通り、包装材９の縦方向端部域９２が後方側凸部４４の縦方向端４４０と重なっている、即ち前記段差と重なっているため、未開封状態の個装体２０Ｂにおける該縦方向端部域９２を常法に従って手指で摘まもうとしたときに、その手指（例えば人差し指）の先で該縦方向端部域９２を上方から押したときの圧力によって、該縦方向端部域９２の下方部を中心に個装体２０Ｂが厚み方向に圧縮され、その際、前記段差を挟んで対向している部材どうし、例えば非肌側シート３と標準吸収部４０とが密着する。その結果、個装体２０Ｂにおいては、図９に示すように、止着用接着剤３５及びその近傍の下方部の厚みが、包装材９の縦方向端部域９２及びその近傍の下方部の厚みよりも減少し、該縦方向端部域９２が第１折り領域露出部１２２の上面から浮きやすくなるため、該縦方向端部域９２を容易に手指で摘まむことができ、その後の開封操作を円滑に素早く行うことができる。
【００５５】
止着用接着剤３５の平面視形状は、図８に示す如き横方向Ｙに平行な連続直線状に限定されず、横方向Ｙに延びる形状であれば良く、例えば、曲線、波線、ジグザグ線などでも良く、また、接着剤付着部と接着剤非付着部とが横方向Ｙに交互に並んで全体として横方向Ｙに延びる不連続線をなしているものでも良い。止着用接着剤３５が不連続に付着している場合は、その複数の接着剤付着部を結んだ仮想線について、前記の突出部４１の第１折り領域露出部１２２への延出部（後方側凸部４４）等との位置関係を満たしていれば良い。また、横方向Ｙに延びる止着用接着剤３５が複数存在しても良く、その場合は、第１折り領域露出部１２２と第２折り領域１３との境界（包装材９の縦方向Ｘ端９１）に最も近い止着用接着剤３５について、前記の突出部４１の第１折り領域露出部１２２への延出部（後方側凸部４４）等との位置関係を満たしていれば良い。止着用接着剤３５としては、前述した個装体２０の止着テープ３０における前記接着部の形成材料（接着剤）と同様のものを用いることができる。
【００５６】
以上、本発明をその実施形態に基づいて説明したが、本発明は、前記実施形態に制限されることなく適宜変更が可能である。
例えば、突出部４１（前方側凸部４３、後方側凸部４４）における折曲線２１，２２と重なる部位に溝（図示せず）が形成されていても良く、この突出部４１の溝は、突出部４１の肌対向面（肌側シート２との対向面）に開口を有していても良く、突出部４１の非肌対向面（非肌側シート３との対向面）に開口を有していても良い。このように、突出部４
１に折曲線２１，２２に沿って溝が形成されていると、この溝に沿って突出部４１が折れ曲がりやすくなるため、個装体２０を開封する際に個装体２０がこの溝に沿って曲がるような開封操作を行うことで、自由端部３２の摘まみやすさがより一層向上し得る。また、吸収性や防漏性等の向上の観点から、肌側シート２と吸収性コア４（吸収性コア４の肌対向面を被覆する前記コアラップシート）との間に、各種不織布からなる液透過性シートが介在配置されていても良い。
【００５７】
前述した一の実施形態のみが有する部分は、すべて適宜相互に利用できる。例えば、個装体２０Ｂの如き、吸収性物品と共に折り畳まれた包装材の一部が個装体の封止部兼開封用摘み部として機能する、吸収性物品の個装体に、個装体２０における止着テープ３０と同様に、該個装体の上面に止着テープを配しても良い。
前述した本発明の実施形態に関し、更に以下の付記を開示する。
【００５８】
＜１＞
着用者の前後方向に対応し、着用者の腹側から股間部を介して背側に延びる縦方向とこれに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、
前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部を有し、前記個装体の上面が、該第１折り領域露出部の上面とこれに隣接する該第２折り領域の上面とを含んで構成されており、
前記個装体の上面に、前記第１折り領域露出部と前記第２折り領域との境界を跨ぐように止着テープが配され、該止着テープは、該第２折り領域側の端部が固定端部とされ、該第１折り領域露出部側に自由端部を有し、該第１折り領域露出部との対向面に設けられた接着部を介して、該第１折り領域露出部に対して剥離自在に止着し得るようになされており、
前記吸収性コアは、標準吸収部と、該標準吸収部に比して厚みが大きい突出部とを有し、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界には達しておらず、該突出部の延出部と該境界との間に該標準吸収部が存しており、
前記第１折り領域露出部の上面視において、前記止着テープと前記突出部の延出部とが重なっている、吸収性物品の個装体。
【００５９】
＜２＞
前記止着テープにおける前記第１折り領域露出部との対向面は、前記自由端部側が、該第１折り領域露出部に対して接着性を有しない非接着部、残りの部位が前記接着部であり、
前記第１折り領域露出部の上面視において、前記止着テープの前記接着部と、前記突出部の縦方向一端部における横方向長さが最も短い部位とが重なっている＜１＞に記載の吸収性物品の個装体。
＜３＞
前記止着テープが前記個装体の横方向中央に配されている＜１＞又は＜２＞に記載の吸収性物品の個装体。
【００６０】
＜４＞
着用者の前後方向に対応し、着用者の腹側から股間部を介して背側に延びる縦方向とこ
れに直交する横方向とを有し、液保持性の吸収性コアを具備する吸収性物品と、該吸収性物品の非肌対向面に粘着剤を介して剥離可能に粘着された包装材との積層体が、該吸収性物品の肌対向面を内側にして、該積層体を横方向に横断する２本の折曲線にて、該吸収性物品の縦方向に折り畳まれた構成を有する、吸収性物品の個装体であって、
前記積層体は、２本の前記折曲線に挟まれた中央領域、並びに該中央領域を挟んで縦方向両側に位置する第１折り領域及び第２折り領域を有し、該中央領域上に該第１折り領域、該第２折り領域の順で重ねられ、該第１折り領域は、その上面が該第２折り領域によって被覆されずに露出している第１折り領域露出部と、その上面が該第２折り領域によって被覆されている第１折り領域被覆部とを有し、前記個装体の上面が、該第１折り領域露出部の上面とこれに隣接する該第２折り領域の上面とを含んで構成されており、
前記第１折り領域被覆部の上面又はこれを被覆する前記第２折り領域の下面に止着用接着剤が配され、該第２折り領域が該止着用接着剤を介して該第１折り領域被覆部に対して剥離自在に止着し得るようになされており、
前記吸収性コアは、標準吸収部と、該標準吸収部に比して厚みが大きい突出部とを有し、該突出部は、前記中央領域から１本の前記折曲線を跨いで前記第１折り領域露出部に延出し、その突出部の延出部は、該中央領域から離れるに従って横方向長さが漸次減少し、且つ該第１折り領域露出部と前記第２折り領域との境界に達しており、
前記個装体の上面視において、前記止着用接着剤は前記突出部の延出部と重なっておらず、該突出部の延出部と該止着用接着剤との間に前記標準吸収部が存している、吸収性物品の個装体。
【００６１】
＜５＞
前記個装体の上面に、前記第１折り領域露出部と前記第２折り領域との境界を跨ぐように止着テープが配され、該止着テープは、該第２折り領域側の端部が固定端部とされ、該第１折り領域露出部側に自由端部を有し、該第１折り領域露出部との対向面に設けられた接着部を介して、該第１折り領域露出部に対して剥離自在に止着し得るようになされている＜４＞に記載の吸収性物品の個装体。
【００６２】
＜６＞
前記吸収性物品は、前記吸収性コアの非肌対向面側に配される非肌側シートを具備し、前記突出部は、前記標準吸収部の非肌対向面位置から該非肌側シート側に突出している＜１＞〜＜５＞の何れか１項に記載の吸収性物品の個装体。
＜７＞
前記第１折り領域露出部において、前記折曲線側の横方向中央部の剛性が最も高く、該折曲線側の横方向両端部の剛性が最も低く、両部位以外の他の部位が両部位の中間の剛性を有する＜１＞〜＜６＞の何れか１項に記載の吸収性物品の個装体。
＜８＞
前記突出部における前記折曲線と重なる部位に溝が形成されている＜１＞〜＜７＞の何れか１項に記載の吸収性物品の個装体。
＜９＞
前記吸収性物品は、前記吸収性コアの肌対向面側に配される肌側シートを具備し、前記突出部は、前記標準吸収部の肌対向面位置から該肌側シート側に突出している＜１＞〜＜８＞の何れか１項に記載の吸収性物品の個装体。
【符号の説明】
【００６３】
１  生理用ナプキン（吸収性物品）
２  肌側シート
３  非肌側シート
４  吸収性コア
４０  標準吸収部
４１  突出部
４２  最大幅部
４３  前方側凸部（突出部の第２折り領域への延出部）
４３０  前方側凸部の縦方向端
４４  後方側凸部（突出部の第１折り領域露出部への延出部）
４４０  後方側凸部の縦方向端
９  包装材
９１  包装材の縦方向端（第１折り領域露出部と第２折り領域との境界）
９２  包装材の縦方向端部域（開封用摘み部）
１０  吸収性物品と包装材との積層体
１１  中央領域
１２  第１折り領域
１２０  第１折り領域の上面
１２１  第１折り領域被覆部
１２２  第１折り領域露出部
１３  第２折り領域
１３０  第２折り領域の上面
２０，２０Ａ，２０Ｂ  生理用ナプキンの個装体（吸収性物品の個装体）
２００  個装体の上面
２１  第１折曲線
２２  第２折曲線
３０  止着テープ
３１  固定端部
３２  自由端部
３３  非接着部
３４  接着部
３５  止着用接着剤
Ａ  前方部
Ｂ  股下部
Ｃ  後方部
Ｘ  縦方向
Ｙ  横方向
【図１】
2018102472.tif 000003
【図２】
2018102472.tif 000004
【図３】
2018102472.tif 000005
【図４】
2018102472.tif 000006
【図５】
2018102472.tif 000007
【図６】
2018102472.tif 000008
【図７】
2018102472.tif 000009
【図８】
2018102472.tif 000010
【図９】
2018102472.tif 000011